(57)【特許請求の範囲】
【請求項１】
監視対象の信号処理装置の異常状態に応じて警報データを生成すると共に前記警報データを管理する警報管理方法であって、
前記信号処理装置内の複数の検出ポイントから動作状態情報を反復して収集する状態収集ステップと、
前記動作状態情報を収集する度に、当該動作状態情報が異常状態を示しているか否かを判定し、異常状態を示している場合に、当該異常状態に対応する少なくとも１つの検出ポイントの識別情報を含む警報データを生成する警報生成ステップと、
前記警報データを生成する度に、当該警報データを第１記憶エリアに上書きして保持すると共に、当該警報データの少なくとも１部を第２記憶エリアに追加書込して保持する警報保持ステップと、
を含み、前記警報保持ステップは、 前記第１記憶エリアを２つの分割エリアに分割し、前記分割エリアの各々を前記警報データを生成する度に交互に切り替えて、切り替えた分割エリアに前記警報データを上書きして保持するステップであることを特徴とする警報管理方法。
【請求項２】
監視対象の信号処理装置の異常状態に応じて警報データを生成すると共に前記警報データを管理する警報管理方法であって、
前記信号処理装置内の複数の検出ポイントから動作状態情報を反復して収集する状態収集ステップと、
前記動作状態情報を収集する度に、当該動作状態情報が異常状態を示しているか否かを判定し、異常状態を示している場合に、当該異常状態に対応する少なくとも１つの検出ポイントの識別情報を含む警報データを生成する警報生成ステップと、
前記警報データを生成する度に、当該警報データを第１記憶エリアに上書きして保持すると共に、当該警報データの少なくとも１部を第２記憶エリアに追加書込して保持する警報保持ステップと、
を含み、前記警報保持ステップは、前記第２記憶エリアを複数の分割エリアに分割し、前記分割エリアの各々を所定期間毎に順次切り替えて、切り替えた分割エリアに前記警報データを追加書込して保持するステップであることを特徴とする警報管理方法。
【請求項３】
最新警報表示要求に応じて、前記１記憶エリアの内容を読み出して、これを表示する最新警報表示ステップと、
警報履歴表示要求に応じて、前記２記憶エリアの内容を読み出して、これを表示する警報履歴表示ステップと、
をさらに含むことを特徴とする請求項１又は２記載の警報管理方法。
【請求項４】
前記警報生成ステップは、前記検出ポイントの識別情報として、機能識別、警報種別及び発生箇所番号のうちの少なくとも１つを含む警報データを生成するステップであることを特徴とする請求項１又は２記載の警報管理方法。
【請求項５】
前記警報生成ステップは、前記検出ポイントの識別情報として、さらに、当該異常状態の重要度を示す情報を含む警報データを生成するステップであることを特徴とする請求項４記載の警報管理方法。
【請求項６】
前記警報保持ステップは、当該異常状態に対応する複数の検出ポイントのうちで最も重要度の高い検出ポイントの識別情報を、前記第２記憶エリアに書込して保持するステップをさらに含むことを特徴とする請求項５記載の警報管理方法。
【請求項７】
前記警報保持ステップは、当該異常状態に対応する検出ポイントが以前と同一の検出ポイントである場合には、積算した警報回数のみの書込を行って保持するステップであることを特徴とする請求項１又は２記載の警報管理方法。
【請求項８】
少なくとも１つの信号処理部と、前記信号処理部の異常状態に応じて警報データを生成すると共に前記警報データを管理する警報処理部と、を含む信号伝送装置であって、
前記警報処理部は、
前記信号処理部内の複数の検出ポイントから動作状態情報を反復して収集する状態収集手段と、
前記動作状態情報を収集する度に、当該動作状態情報が異常状態を示しているか否かを判定し、異常状態を示している場合に、当該異常状態に対応する少なくとも１つの検出ポイントの識別情報を含む警報データを生成する警報生成手段と、
前記警報データを生成する度に、当該警報データを第１記憶エリアに上書きして保持すると共に、当該警報データの少なくとも１部を第２記憶エリアに追加書込して保持する警報保持手段と、
を含み、前記警報保持手段は、 前記第１記憶エリアを２つの分割エリアに分割し、前記分割エリアの各々を前記警報データを生成する度に交互に切り替えて、切り替えた分割エリアに前記警報データを上書きして保持することを特徴とする信号伝送装置。
【請求項９】
少なくとも１つの信号処理部と、前記信号処理部の異常状態に応じて警報データを生成すると共に前記警報データを管理する警報処理部と、を含む信号伝送装置であって、
前記警報処理部は、
前記信号処理部内の複数の検出ポイントから動作状態情報を反復して収集する状態収集手段と、
前記動作状態情報を収集する度に、当該動作状態情報が異常状態を示しているか否かを判定し、異常状態を示している場合に、当該異常状態に対応する少なくとも１つの検出ポイントの識別情報を含む警報データを生成する警報生成手段と、
前記警報データを生成する度に、当該警報データを第１記憶エリアに上書きして保持すると共に、当該警報データの少なくとも１部を第２記憶エリアに追加書込して保持する警報保持手段と、
を含み、前記警報保持手段は、前記第２記憶エリアを複数の分割エリアに分割し、前記分割エリアの各々を所定期間毎に順次切り替えて、切り替えた分割エリアに前記警報データを追加書込して保持することを特徴とする信号伝送装置。
【発明の詳細な説明】
【技術分野】
【０００１】
本発明は、コンピュータやデジタル信号処理装置等の信号処理装置の異常状態の検出に応じて警報データを生成し、これら警報データを管理する警報管理方法、並びにかかる警報管理方法が実行されるＳＤＨ（Synchronous Digital Hierarchy）方式伝送装置の如き信号伝送装置に関する。
【背景技術】
【０００２】
従来、ＳＤＨ方式伝送装置の如き信号伝送装置には、通常、装置自身の故障発生に備えて警報管理機能が備えられている。信号伝送装置に備えられる警報管理機能の例を挙げると、特許文献１に開示される警報監視システムは、警報表示出力される項目に重要度を設けることにより異常が同時多発した場合においても効率的に警報を表示し得るように構成されている。特許文献２に開示されるプラント警報監視表示装置においては、警報の種類毎の警報格納アドレスと警報ビット位置をテーブルに記憶する手段や複数警報の同時発生の有無を判定する手段を用いることにより任意の警報の発生の有無を判定できるとし、さらに、警報監視数の増減への対応が各テーブルの情報の追加／変更／削除により可能である。
【特許文献１】特開２００１−３５７４７０号公報
【特許文献２】特許第３４１０２８４号
【発明の開示】
【発明が解決しようとする課題】
【０００３】
しかし、かかる従来の技術によって複数警報の同時発生や警報監視数の増減に対処した警報がなされ得るとしても、故障原因を分析するための系統的な故障解析を可能とするものではない。また、監視対象の信号処理装置に含まれる各機能部単位に故障発生の有無が通知されたとしても、機能部内の詳細な故障位置が特定できるものではない。
【０００４】
本発明の目的は、信号処理装置において生ずる故障についてより詳細の故障解析を可能とする警報管理方法及び信号伝送装置を提供することである。
【課題を解決するための手段】
【０００５】
請求項１に係る警報管理方法は、監視対象の信号処理装置の異常状態に応じて警報データを生成すると共に前記警報データを管理する警報管理方法であって、前記信号処理装置内の複数の検出ポイントから動作状態情報を反復して収集する状態収集ステップと、前記動作状態情報を収集する度に、当該動作状態情報が異常状態を示しているか否かを判定し、異常状態を示している場合に、当該異常状態に対応する少なくとも１つの検出ポイントの識別情報を含む警報データを生成する警報生成ステップと、前記警報データを生成する度に、当該警報データを第１記憶エリアに上書きして保持すると共に、当該警報データの少なくとも１部を第２記憶エリアに追加書込して保持する警報保持ステップと、を含み、前記警報保持ステップは、 前記第１記憶エリアを２つの分割エリアに分割し、前記分割エリアの各々を前記警報データを生成する度に交互に切り替えて、切り替えた分割エリアに前記警報データを上書きして保持するステップであることを特徴とする。
請求項２に係る警報管理方法は、監視対象の信号処理装置の異常状態に応じて警報データを生成すると共に前記警報データを管理する警報管理方法であって、前記信号処理装置内の複数の検出ポイントから動作状態情報を反復して収集する状態収集ステップと、前記動作状態情報を収集する度に、当該動作状態情報が異常状態を示しているか否かを判定し、異常状態を示している場合に、当該異常状態に対応する少なくとも１つの検出ポイントの識別情報を含む警報データを生成する警報生成ステップと、前記警報データを生成する度に、当該警報データを第１記憶エリアに上書きして保持すると共に、当該警報データの少なくとも１部を第２記憶エリアに追加書込して保持する警報保持ステップと、を含み、前記警報保持ステップは、前記第２記憶エリアを複数の分割エリアに分割し、前記分割エリアの各々を所定期間毎に順次切り替えて、切り替えた分割エリアに前記警報データを追加書込して保持するステップであることを特徴とする。
【０００６】
請求項８に係る信号伝送装置は、少なくとも１つの信号処理部と、前記信号処理部の異常状態に応じて警報データを生成すると共に前記警報データを管理する警報処理部と、を含む信号伝送装置であって、前記警報処理部は、前記信号処理部内の複数の検出ポイントから動作状態情報を反復して収集する状態収集手段と、前記動作状態情報を収集する度に、当該動作状態情報が異常状態を示しているか否かを判定し、異常状態を示している場合に、当該異常状態に対応する少なくとも１つの検出ポイントの識別情報を含む警報データを生成する警報生成手段と、前記警報データを生成する度に、当該警報データを第１記憶エリアに上書きして保持すると共に、当該警報データの少なくとも１部を第２記憶エリアに追加書込して保持する警報保持手段と、を含み、前記警報保持手段は、 前記第１記憶エリアを２つの分割エリアに分割し、前記分割エリアの各々を前記警報データを生成する度に交互に切り替えて、切り替えた分割エリアに前記警報データを上書きして保持することを特徴とする。
請求項９に係る信号伝送装置は、少なくとも１つの信号処理部と、前記信号処理部の異常状態に応じて警報データを生成すると共に前記警報データを管理する警報処理部と、を含む信号伝送装置であって、前記警報処理部は、前記信号処理部内の複数の検出ポイントから動作状態情報を反復して収集する状態収集手段と、前記動作状態情報を収集する度に、当該動作状態情報が異常状態を示しているか否かを判定し、異常状態を示している場合に、当該異常状態に対応する少なくとも１つの検出ポイントの識別情報を含む警報データを生成する警報生成手段と、前記警報データを生成する度に、当該警報データを第１記憶エリアに上書きして保持すると共に、当該警報データの少なくとも１部を第２記憶エリアに追加書込して保持する警報保持手段と、を含み、前記警報保持手段は、前記第２記憶エリアを複数の分割エリアに分割し、前記分割エリアの各々を所定期間毎に順次切り替えて、切り替えた分割エリアに前記警報データを追加書込して保持することを特徴とする。
【発明の効果】
【０００７】
本発明による警報管理方法及び信号伝送装置によれば、常に最新の警報データが保持されて読出可能な第１記憶エリアと、継続的に警報データが保持されて読出可能な第２記憶エリアとを処理する構成が与えられる。また、かかる記憶エリアには故障箇所の特定を容易にする識別情報が保持される。これにより、より詳細の故障解析が可能となる。
【発明を実施するための最良の形態】
【０００８】
本発明の実施例について添付の図面を参照しつつ詳細に説明する。
【０００９】
図１は、本発明の実施例を示し、信号伝送装置を含む全体の構成を示している。信号伝送装置１０は、電話交換機等の他の通信装置（図示せず）が回線群３０を介して接続され、回線群３０を介して通信信号や制御信号を送受信するＳＤＨ方式の信号伝送装置である。信号伝送装置１０は、ＳＤＨ方式を実現する各種の伝送機能が分散して備えられる回線処理部Ａ１１、回線処理部Ｂ１２及び共通部１３の３つの信号処理部を備える。これらの各信号処理部１１〜１３は、本発明による警報管理方法における監視対象となる。
【００１０】
信号伝送装置１０は、また、本発明による警報管理方法を実行する警報処理部１４を備える。警報処理部１４は、警報収集部１５と、警報判定部１６と、警報格納部１７とを含む。警報収集部１５は、回線処理部Ａ１１、回線処理部Ｂ１２及び共通部１３の各々の複数の検出ポイントをセンスすることによりその動作状態情報を収集する機能を有する。警報判定部１６は、収集された動作状態情報から警報の有無を判定する機能を備える。警報格納部１７は、警報であると判定された動作状態情報から警報データを生成し、これを警報格納部１７に含まれる第１記憶エリア１８と第２記憶エリア１９とに書込を行う機能を備える。第１記憶エリア１８には、１秒警報データが書き込まれ、第２記憶エリア１９には１日警報データが書き込まれる。１秒警報データは、１秒単位に得られる現在発生中の最新警報の情報からなり、１日警報データは、複数の１日単位の警報履歴の情報からなる。
【００１１】
外部端末２０が信号伝送装置１０に接続されている。信号伝送装置１０は、外部端末２０から表示要求を取り込む機能を備え、該表示要求が最新警報に対する表示要求である場合に、第１記憶エリア１８に書込まれた１秒警報データを読み出して表示する機能を有し、さらに、該表示要求が警報履歴に対する表示要求である場合に、第２記憶エリア１９に書込まれた１日警報データを読み出して表示する機能を備える。
【００１２】
図２は、図１に示された１秒警報データの構成例を示している。１秒警報データＤ１０は、現在面インデックスＤ１９と、分割エリアとして２面の記憶エリアである１秒単位第１面Ｄ１１及び１秒単位第２面Ｄ１２とからなる。現在面インデックスＤ１９は、警報収集により生成される１秒警報データが上書されべき面を指示するポインタである。１秒単位第１面Ｄ１１及び１秒単位第２面Ｄ１２の各々は、同一のフォーマットにより構成され、各面が１秒毎に交互に使用される。すなわち、警報収集処理中において、現在面インデックスＤ１９により指示された面（本図では１秒単位第１面Ｄ１１）に１秒警報データが上書き書き込みされる。一方、警報収集処理中にも関わらず現在発生中の警報を表示するために、現在面インデックスＤ１９により指示されていない面の１秒警報データ（本図では１秒単位第２面Ｄ１２）が外部端末２０（図１参照）から読み出される。この例では、１秒単位第２面Ｄ１２の１秒警報データは、以前のタイミングで既に書き込まれていた警報データである。
【００１３】
１秒単位第１面Ｄ１１を詳細に参照すると、機種識別３１と警報種別３２と発生箇所３３とを１つの組み合わせとし、警報の数に従ってこの組み合わせの１つ又は複数が上書きされる、すなわち、以前の内容を削除した空白の状態に新たに書き込まれる。１つの組み合わせの例を見ると、機種識別３１を回線処理部Ａを示す識別子「＃１」が設定され、警報種別３２には警報の種類として装置異常であることを示す「ＥＱＰ」が設定されている。そして、発生箇所３３には、発生箇所が検出ポイント「Ｃ１」（図５参照）であるとを示す発生箇所番号「１」が設定されている。
【００１４】
図３は、図１に示された１日警報データの構成例を示している。１日警報データＤ２０は、現在面インデックスＤ２９と、分割エリアとして８面の記憶エリアである１日単位第１面Ｄ２１〜第８面Ｄ２８からなる。１日単位第１面Ｄ２１〜第８面Ｄ２８は、１週間分の警報履歴として７日分＋予備１日分の警報データが格納され、１週間毎に繰り返し使用される。１日警報データＤ２０の内容は、現在の警報収集処理に関わらず、過去の警報履歴として外部端末２０から読み出される。
【００１５】
１日単位第１面Ｄ２１〜Ｄ２８の各々は、現在面インデックスＤ２９により現在の日に対応する面が指定される。本図の例では、１日単位第１面Ｄ２１が指示されている。この場合、１日警報データＤ２１において、図２において説明された１秒単位データが、その１秒警報データＤ１０への書込と並行して、１日警報データＤ２１の従前の内容に追記するように追加書込される。１日警報データＤ２０は、また、最新の発生箇所情報としてＥＱＰ発生位置Ｄ３０が保持されている。ＥＱＰ発生位置Ｄ３０には、履歴表示時の最新の発生箇所番号が設定される。
【００１６】
１日単位第１面Ｄ２１を詳細に参照すると、機種識別３１と警報種別３２と発生箇所３３と積算回数３４を１つの組み合わせとし、警報の数に従ってこの組み合わせの１つ又は複数が、以前の内容にさらに積算するよう書き込まれる、すなわち、従前から機種識別３１と警報種別３２と発生箇所３３のある組み合わせが既に書き込まれていた場合には、当該組み合わせの積算回数３４がカウントアップされる。一方、従前には当該組み合わせが未だ書き込まれていない場合には、当該組み合わせがその積算回数３４を「１」として追加書き込みされる。
【００１７】
１つの組み合わせの例を見ると、機種識別３１を回線処理部Ａを示す識別子「＃１」が設定され、警報種別３２には警報の種類として装置異常であることを示す「ＥＱＰ」が設定されている。そして、発生箇所３３には、発生箇所が検出ポイント「Ｃ１」（図５参照）であることを示す発生箇所番号「１」が設定され、積算回数３４として「２」が設定されている。この組み合わせの例は、回線処理部Ａにおいて警報種別をＥＱＰとする警報が検出ポイント「Ｃ１」において、当該日において２回発生していることを示している。
【００１８】
尚、本実施例は、１秒単位データは発生中警報の全ての発生箇所番号を格納すると共に、１日単位データにも全ての発生箇所番号を格納する形態であるが、１日単位データには、装置のメモリの制限あるいは解析上の必要性から、警報データの一部を格納するようにすることも可能である。
【００１９】
図４は、図１に示された警報処理部が実行する処理手順を示している。該処理手順について図１及び図２に示された構成要素を適宜参照して説明する。また、以下の処理は定常的に反復されて実行される。
【００２０】
信号伝送装置１０の警報処理部１４は、例えば１秒毎に、回線処理部Ａ１１、回線処理部Ｂ１２及び共通部１３の各機能部の動作状態情報をセンスして警報を収集する（ステップＳ１）。警報処理部１４は、該動作状態情報から異常状態を示す警報の有無を判定する（ステップＳ２）。もし警報が無いと判定されれば収集間隔（１秒）を経て（ステップＳ７）、ステップＳ１の警報収集を繰り返す。
【００２１】
警報が有ると判定されれば、警報処理部１４は、該警報から警報データを生成する（ステップＳ３）。該警報データは、異常状態が検出された機能部の機能部識別、警報種別及び発生箇所番号とを含む。次いで、警報処理部１４は、該警報データを１秒警報データＤ１０として警報格納部１７の第１記憶エリア１８に上書き書込する（ステップＳ４）。さらに、警報処理部１４は、該警報データを１日警報データＤ２０として第２記憶エリア１９に追加書込する（ステップＳ５）。
【００２２】
さらに、警報処理部１４は、警報種別が「ＥＱＰ」の場合には、１日警報データＤ２０のＥＱＰ発生位置Ｄ３０の部分に最新の発生箇所番号を書き込む（ステップＳ６）。警報処理部１４は、書込が終了したならば、収集間隔（１秒）を待ち（ステップＳ７）、ステップＳ１における警報収集の処理を繰り返す（ステップＳ８）。
【００２３】
尚、以上の警報処理中に、現在発生中の最新警報の読出が外部端末２０から要求された場合には、１秒警報データＤ１０が出力される。また、警報履歴の読出が外部端末２０から要求された場合には、１日警報データＤ２０が出力される。例えば、火曜日である１日について警報履歴が要求された場合には、日単位第２面の内容のうちで警報発生が「１以上」である項目についてのみ警報を出力する。また、警報種別が「ＥＱＰ」である最新の警報の発生箇所番号をＥＱＰ発生位置Ｄ３０として外部端末２０に表示するようにしても良い。
【００２４】
以上の実施例において、継続して発生している故障であれば、外部端末２０から１秒警報データＤ１０の内容を読み出すことにより、故障箇所の特定が可能となる。また、現時点で復旧してしまった故障であっても、外部端末２０から警報履歴として１日警報データＤ２０の内容を読み出すことにより故障箇所の特定が可能となる。
＜変形例＞
図６は、本発明の変形例であり、重要度及び発生箇所番号を統合した警報番号の付与ルールを説明している。図示されるように、警報番号４０が重要度４１と発生箇所番号４２とが１バイト８ビットのデータに統合されて定義される。例えば、回線処理部Ａの警報のうちで検出ポイント「Ｃ１」で検出される警報名称「入力ＣＬＫ断」は、重要度「１」であり且つその発生箇所番号は「１」である（図７参照）。そこで、警報番号４０は、重要度「１」を先頭ビットの１ビットに割り当て、発生箇所番号「１」を下位の７ビットに割り当てることにより、８ビットの「１００００００１」となる。この１０進表記は「１２９」となる。
【００２５】
１日単位警報データＤ２０に含まれるＥＱＰ発生位置Ｄ３０（図３参照）には、かかる警報番号が設定される。また、警報が同時発生している場合には、重要度のより高い警報番号が設定される。これにより、発生位置番号から故障箇所の特定と同時に故障内容の重要度も判別することが可能とする。警報発生箇所と重要度との対応関係は、図７に示されるように警報種別毎に予め設定され得る。
【００２６】
以上の変形例においては、表示されたＥＱＰ発生位置の発生箇所番号から容易に故障発生部位の特定および故障内容の重要度の判別が可能となる。また、複数警報発生時は、重要度の低い故障が抑制され最重要度の発生箇所番号が表示されることから効率的な表示が可能となる。
【産業上の利用可能性】
【００２７】
本発明による警報管理方法及び信号伝送装置は、ＳＤＨ方式伝送装置の如き信号伝送装置に限られない。本発明による警報管理方法は、異常検知のための多数の検出ポイントが想定される多様な監視対象の信号処理装置を含む装置に適用され得る。
【図面の簡単な説明】
【００２８】
【図１】本発明の実施例を示し、信号伝送装置の構成を示しているブロック図である。
【図２】図１に示された１秒警報データの構成例を示しているブロック図である。
【図３】図１に示された１日警報データの構成例を示しているブロック図である。
【図４】図１に示された警報処理部が実行する処理手順を示しているフローチャートである。
【図５】警報発生箇所の詳細を表形式にて示している図である。
【図６】本発明の変形例であり、重要度及び発生箇所番号を統合した警報番号の付与ルールを説明している。
【図７】警報発生箇所及び重要度の詳細を表形式にて示している図である。
【符号の説明】
【００２９】
１０  信号伝送装置
１１  回線処理部Ａ
１２  回線処理部Ｂ
１３  共通部
１４  警報処理部
１５  警報収集部
１６  警報判定部
１７  警報格納部
１８  第１記憶エリア
１９  第２記憶エリア
２０  外部端末
３０  回線群
Ｄ１０  １秒警報データ
Ｄ２０  １日警報データ
Ｄ３０  ＥＱＰ発生位置
【図１】
0004571578.tif 000002
【図２】
0004571578.tif 000003
【図３】
0004571578.tif 000004
【図４】
0004571578.tif 000005
【図５】
0004571578.tif 000006
【図６】
0004571578.tif 000007
【図７】
0004571578.tif 000008